(57)【要約】【課題】雄端子側のめっき削れ量の低減を図ることができる端子嵌合構造を提供する。【解決手段】端子嵌合構造１は、弾性撓み部１２上に突起状のインデント１２ａを有する雌端子１０と、雌端子１０に挿入嵌合されると共に嵌合に際して弾性撓み部１２上に設けられるインデント１２ａが摺動するタブ２１を有した雄端子２０とを嵌合させるものである。雌端子１０は、弾性撓み部１２をその圧縮方向に撓ませて、雌端子１０の内部にタブ２１の厚みＴ１よりも大きい隙間Ｔ２を形成するストッパ部材１３を有し、ストッパ部材１３は、タブ２１が雌端子１０に所定量以上挿入されると解除状態となり、弾性撓み部１２は、ストッパ部材１３が解除状態となると、圧縮方向への圧縮が緩和されてインデント１２ａをタブ２１に押圧接触させる。【選択図】図１
2020064769.tif 000002
【特許請求の範囲】
【請求項１】
バネ部材上に突起状のインデントを有する第１端子と、前記第１端子に挿入嵌合されると共に嵌合に際して前記バネ部材上に設けられる前記インデントが摺動する摺動部材を有した第２端子と、を嵌合させる端子嵌合構造であって、
前記第１端子は、前記バネ部材をその圧縮方向に撓ませて、前記第１端子の内部に前記摺動部材の厚みよりも大きい隙間を形成するストッパ部材を有し、
前記ストッパ部材は、前記摺動部材が前記第１端子に所定量以上挿入されると前記摺動部材が接触して折り曲げられることにより解除状態となり、
前記バネ部材は、前記ストッパ部材が解除状態となると、前記圧縮方向への圧縮が緩和されて前記インデントを前記摺動部材に押圧接触させる
ことを特徴とする端子嵌合構造。
【請求項２】
前記ストッパ部材は、その厚みが前記第１端子の他の部位よりも薄く形成されている
ことを特徴とする請求項１に記載の端子嵌合構造。
【請求項３】
前記ストッパ部材は、折り曲げ方向への折り曲げを支援する易折り曲げ部を有する
ことを特徴とする請求項１又は請求項２のいずれかに記載の端子嵌合構造。
【発明の詳細な説明】
【技術分野】
【０００１】
本発明は、端子嵌合構造に関する。
【背景技術】
【０００２】
従来、突起状の接点となるインデントを有する雌端子と、雌端子に挿入嵌合されると共に嵌合初期から嵌合最終位置に掛けてインデントが摺動する雄端子とを有した端子嵌合構造が知られている。このような端子嵌合構造において各端子には、接触抵抗を低減したり、高温環境下において使用に耐え得るようにしたりするために、銀系めっきが施されることがある（例えば特許文献１参照）。
【先行技術文献】
【特許文献】
【０００３】
【特許文献１】特開２０１８−５３３１５号公報
【発明の概要】
【発明が解決しようとする課題】
【０００４】
しかし、特許文献１に記載の端子嵌合構造では、雄端子が雌端子のインデントに摺動しながら嵌合完了位置に至るため、雄端子表面のめっきが削れるなどしてダメージが大きくなる。
【０００５】
本発明はこのような従来の課題を解決するためになされたものであり、その目的とするところは、雄端子側のめっき削れ量の低減を図ることができる端子嵌合構造を提供することにある。
【課題を解決するための手段】
【０００６】
本発明に係る端子嵌合構造は、バネ部材上に突起状のインデントを有する第１端子と、第１端子に挿入嵌合されると共に嵌合に際してバネ部材上に設けられるインデントが摺動する摺動部材を有した第２端子とを嵌合させるものである。第１端子は、バネ部材をその圧縮方向に撓ませて、第１端子の内部に摺動部材の厚みよりも大きい隙間を形成するストッパ部材を有し、ストッパ部材は、摺動部材が第１端子に所定量以上挿入されると解除状態となり、バネ部材は、ストッパ部材が解除状態となると、圧縮方向への圧縮が緩和されてインデントを摺動部材に押圧接触させる。
【０００７】
この端子嵌合構造によれば、バネ部材をその圧縮方向に撓ませて、第１端子の内部に摺動部材の厚みよりも大きい隙間を形成するストッパ部材を有する。このようなストッパ部材は、摺動部材が第１端子に所定量以上挿入されると解除状態となり、バネ部材は圧縮方向への圧縮が緩和されてインデントを摺動部材に押圧接触させる。このため、摺動部材が第１端子に所定量以上挿入されてストッパ部材が解除状態となるまでは、摺動部材が第１端子の内部に挿入されてもインデントが摺動部材に押し付けられることがない。このため、インデントが摺動する摺動距離を短くすることができ、雄端子側のめっき削れ量の低減を図ることができる。
【発明の効果】
【０００８】
本発明によれば、雄端子側のめっき削れ量の低減を図ることができる端子嵌合構造を提供することができる。
【図面の簡単な説明】
【０００９】
【図１】本発明の実施形態に係る端子嵌合構造を示す構成図である。
【図２】易折り曲げ部を示す拡大断面図であり、（ａ）は第１の例を示し、（ｂ）は第２の例を示している。
【図３】嵌合初期における端子嵌合の様子を示す構成図である。
【図４】嵌合中期における端子嵌合の様子を示す構成図である。
【図５】嵌合完了時における端子嵌合の様子を示す構成図である。
【発明を実施するための形態】
【００１０】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００１１】
図１は、本発明の実施形態に係る端子嵌合構造を示す構成図である。なお、図１においては一部構成について断面を示すものとする。図１に示すように、端子嵌合構造１は、雌端子（第１端子）１０と、雌端子１０に挿入嵌合されると共にタブ（摺動部材）２１を有した雄端子（第２端子）２０とを備え、これら端子１０，２０を嵌合させる構造である。
【００１２】
雌端子１０は、所定形状に打ち抜かれた導電性金属を折り曲げ加工して形成されたものであって、雌コネクタ（不図示）の端子収容室に収容配置されるものである。この雌端子１０は、母材となる銅系金属（銅又は銅合金）上に銀系めっき（銀又は銀合金のめっき）が施されており、箱部１１と、弾性撓み部（バネ部材）１２と、電線の導体等を加締めるバレル部（不図示）とを備えている。
【００１３】
箱部１１は、導電性金属の折り曲げ加工によって前方が開口された方形状となる部位である。箱部１１内には、箱部１１の底面より折り返されて後方（雌端子１０のバレル部側）に延びる弾性撓み部１２が形成されている。
【００１４】
弾性撓み部１２は、箱部１１内において上下方向に弾性変形可能な弾性片である。また、弾性撓み部１２は、上方に向かって突起状に突出したインデント１２ａを有している。雄端子２０のタブ２１が箱部１１に挿入されたときには、インデント１２ａがタブ２１に接触して導通状態が確保されることとなる。
【００１５】
雄端子２０は、雌端子１０と同様に、所定形状に打ち抜かれた導電性金属を折り曲げ加工して形成されたものである。この雄端子２０は、雄コネクタ（不図示）の端子収容室に収容配置されるものである。また、雄端子２０についても母材となる銅系金属（銅又は銅合金）上に銀系めっき（銀又は銀合金のめっき）が施されている。このような雄端子２０は、タブ２１と、電線の導体等を加締めるバレル部（不図示）とを備えている。
【００１６】
タブ２１は、外形が扁平板形状となる部材である。このタブ２１は、雌端子１０の箱部１１内に挿入されるものであり、挿入完了時にはインデント１２ａがタブ２１と接触するようになっている。
【００１７】
上記のような雌端子１０と雄端子２０とは、雌コネクタと雄コネクタとを嵌合させる際に、雄端子２０のタブ２１が雌端子１０の箱部１１に挿入されて嵌合させられる。
【００１８】
ここで、本実施形態において雌端子１０は、更にストッパ部材１３を備えている。ストッパ部材１３は、弾性撓み部１２をその圧縮方向となる下方に撓ませて、雌端子１０の内部にタブ２１の厚みよりも大きい隙間を形成するものである。このストッパ部材１３は、例えば弾性撓み部１２の後方側端部に接触して弾性撓み部１２の上方への移動を規制することで、弾性撓み部１２を圧縮状態としている。
【００１９】
なお、後述するようにタブ２１が箱部１１内に所定量挿入されると、タブ２１の先端がストッパ部材１３に接触する。この状態から更にタブ２１が挿入されると、ストッパ部材１３は、矢印Ａ１に示すように折り曲げられて解除状態となる。また、ストッパ部材１３が折り曲げられて解除状態となると弾性撓み部１２の上方移動規制が解除される。このため、弾性撓み部１２は下方への圧縮が緩和される。すなわち、弾性撓み部１２は矢印Ａ２に示すように上方へ移動することとなり、タブ２１が箱部１１内に挿入されている場合においてはインデント１２ａがタブ２１に接触することとなる。
【００２０】
ここで、ストッパ部材１３は、雌端子１０の他の部位（箱部１１や弾性撓み部１２）よりも薄く形成されている。これにより、比較的容易にストッパ部材１３を折り曲げることが可能となり、ストッパ部材１３を設けたことによる挿入力の増大を抑えることができる。
【００２１】
さらに、ストッパ部材１３は、折り曲げを支援する易折り曲げ部１３ａ（図２参照）を備えている。すなわち、ストッパ部材１３は易折り曲げ部１３ａを有することで、有しないときと比較すると、折り曲げ方向（後方）への折り曲げに要する力が低減させられるようになっている。
【００２２】
図２は、易折り曲げ部１３ａを示す拡大断面図であり、（ａ）は第１の例を示し、（ｂ）は第２の例を示している。図２（ａ）に示すように、ストッパ部材１３は、一部が刳り貫かれて厚みが小さくされた薄肉部１３ｂを、易折り曲げ部１３ａとして有している。この薄肉部１３ｂにより、ストッパ部材１３は薄肉部１３ｂを起点にして折り曲げが容易となっている。
【００２３】
また、図２（ｂ）に示すように、ストッパ部材１３は、弾性屈曲可能に雌端子１０の前方側に曲率を有して突出した屈曲部１３ｃを易折り曲げ部１３ａとして有していてもよい。この構成においてもストッパ部材１３は屈曲部１３ｃを起点に折り曲げが容易となっている。
【００２４】
次に、本実施形態に係る端子嵌合の様子を説明する。図３は、嵌合初期における端子嵌合の様子を示す構成図であり、図４は、嵌合中期における端子嵌合の様子を示す構成図であり、図５は、嵌合完了時における端子嵌合の様子を示す構成図である。
【００２５】
まず、図３に示すように、タブ２１が雌端子１０の箱部１１内に所定量未満で挿入されたとする。この状態においてストッパ部材１３が弾性撓み部１２の上方移動を規制している。このため、箱部１１内の隙間（インデント１２ａと箱部１１内の対向する壁との距離）Ｔ２は、タブ２１の厚みＴ１よりも大きくなっている。よって、インデント１２ａがタブ２１に押圧接触することはなく、タブ２１はめっき削れなく挿入されていく。
【００２６】
その後、図４に示すように、タブ２１が箱部１１内に所定量以上挿入されると、タブ２１の先端がストッパ部材１３に接触すると共に、タブ２１がストッパ部材１３を雌端子１０の後方側に押し込んで折り曲げることとなる。ここで、ストッパ部材１３は、箱部１１や弾性撓み部１２よりも薄く形成されており、且つ、易折り曲げ部１３ａ（図２参照）を有していることから、容易に折り曲げられることとなる。ストッパ部材１３が折り曲げられるとストッパ部材１３が弾性撓み部１２から外れて解除状態となり、弾性撓み部１２は圧縮状態が緩和されて矢印Ａ２方向に移動する。よって、インデント１２ａがタブ２１に接触する。なお、このときのタブ２１の先端からインデント１２ａの接触位置までの距離をＥ１とする。
【００２７】
次いで、タブ２１が更に挿入されていくと、図５に示すようにタブ２１は挿入完了位置に到達する。このときのタブ２１の先端からインデント１２ａの接触位置までの距離をＥ２とする。
【００２８】
ここで、図４に示したように、タブ２１が挿入されてからストッパ部材１３が外れるまでは、インデント１２ａがタブ２１に押圧接触しない。このため、タブ２１は、距離Ｅ１分だけ摺動がなく挿入されることとなる。よって、本実施形態においてタブ２１がインデント１２ａに摺動する摺動距離はＥ２−Ｅ１となり、摺動距離を短くして雄端子２０側のめっき削れ量の低減を図ることができる。
【００２９】
このようにして、本実施形態に係る端子嵌合構造１によれば、弾性撓み部１２をその圧縮方向に撓ませて、雌端子１０の内部にタブ２１の厚みＴ１よりも大きい隙間Ｔ２を形成するストッパ部材１３を有する。このようなストッパ部材１３は、タブ２１が雌端子１０に所定量以上挿入されると解除状態となり、弾性撓み部１２は圧縮方向への圧縮が緩和されてインデント１２ａをタブ２１に押圧接触させる。このため、タブ２１が雌端子１０に所定量以上挿入されてストッパ部材１３が解除状態となるまでは、タブ２１が雌端子１０の内部に挿入されてもインデント１２ａがタブ２１に押し付けられることがない。このため、インデント１２ａが摺動する摺動距離を短くすることができ、雄端子２０側のめっき削れ量の低減を図ることができる。
【００３０】
また、ストッパ部材１３は、その厚みが雌端子１０の他の部位（箱部１１又は弾性撓み部１２）よりも薄く形成されているため、タブ２１の挿入時にストッパ部材１３を折り曲げ易くなり、挿入力の低減を図ることができる。
【００３１】
また、ストッパ部材１３は、折り曲げを支援する易折り曲げ部１３ａを有するため、易折り曲げ部１３ａを起点に折り曲げ易くなり、更なる挿入力の低減を図ることができる。
【００３２】
以上、実施形態に基づき本発明を説明したが、本発明は上記実施形態に限られるものではなく、本発明の趣旨を逸脱しない範囲で、変更を加えてもよい。さらには、可能な範囲で適宜他の技術を組み合わせてもよい。
【００３３】
例えば本実施形態においてストッパ部材１３は箱部１１の上面から下方に延びているが、これに限らず、例えば弾性撓み部１２の端部から上方に延びて上端部が箱部１１の上面に接触するようになっていてもよい。
【００３４】
また、ストッパ部材１３は雌端子１０の箱部１１と一体となっているが、これに限らず、弾性撓み部１２と一体となっていてもよいし、雌端子１０と別体になっていてもよい。
【００３５】
さらに、本実施形態に係るストッパ部材１３は、箱部１１や弾性撓み部１２よりも薄く形成され、且つ、易折り曲げ部１３ａを有しているが、これに限らず、いずれか一方のみを備えていてもよいし、双方を備えることなくタブ２１の挿入に伴って折り曲げられる構成であってもよい。
【００３６】
また、上記実施形態において雌端子１０及び雄端子２０は銀系めっきが施されているが、銀系めっきに限らず、錫系めっきが施されていてもよいし、銀及び錫の合金からなるめっきが施されていてもよい。
【符号の説明】
【００３７】
１      ：端子嵌合構造
１０    ：雌端子（第１端子）
１１    ：箱部
１２    ：弾性撓み部（バネ部材）
１２ａ  ：インデント
１３    ：ストッパ部材
１３ａ  ：易折り曲げ部
１３ｂ  ：薄肉部
１３ｃ  ：屈曲部
２０    ：雄端子（第２端子）
２１    ：タブ（摺動部材）
Ｔ１    ：厚み
Ｔ２    ：隙間
【図１】
2020064769.tif 000003
【図２】
2020064769.tif 000004
【図３】
2020064769.tif 000005
【図４】
2020064769.tif 000006
【図５】
2020064769.tif 000007